(57)【要約】【課題】押ボタンスイッチに施錠した錠前の解錠のときの作業性を向上できるようにするため、非常停止用押ボタンスイッチに設けられた施錠穴の回転方向の幅を大きくすることができ、かつこの施錠穴の開放を、押ボタンの押し込みロック位置で確実に行うことのできるシャッタ付きの非常停止用押ボタンスイッチを提供する。【解決手段】プッシュロック・ターンリセット式の非常停止用押ボタンスイッチにおいて、操作部の押ボタンの周壁を囲う周壁を有するベゼルを前記スイッチ部に固定して設け、このベゼルの周壁に錠前を通す施錠穴を形成するとともに、前記押ボタンの周壁に前記操作部のロック位置で前記ベゼルの施錠穴に重なる施錠穴を形成し、前記ベゼルの周壁の内側に軸方向に移動してベゼルの周壁の施錠穴を開閉するシャッタ部材を設けるとともに、前記操作部の押し込み操作および復帰操作に連動してこのシャッタ部材を開閉駆動する開閉機構を設ける。【選択図】  図１１
2008311097.tif 000002
【特許請求の範囲】
【請求項１】
頭部にキャップ状の押ボタンを有し、軸方向及び回転方向の両方向にばね力を受けて移動可能な操作部と、この操作部により操作されるスイッチ部とを備え、前記操作部が前記ばね力に抗して軸方向に押し込み操作されると前記スイッチ部の開閉を操作する押し込み位置でロックされ、このロック位置で操作部を前記ばね力に抗して捻回操作するとロックが解除され、前記ばね力により待機位置に復帰する非常停止用押ボタンスイッチにおいて、前記操作部の押ボタンの周壁を囲う周壁を有するベゼルを前記スイッチ部に固定して設け、このベゼルの周壁に錠前を通す施錠穴を形成するとともに、前記押ボタンの周壁に前記操作部のロック位置で前記ベゼルの施錠穴に重なる施錠穴を形成し、前記ベゼルの周壁の内側に軸方向に移動してベゼルの周壁の施錠穴を開閉するシャッタ部材を設けるとともに、前記操作部の押し込み操作および復帰操作に連動してこのシャッタ部材を開閉駆動する開閉機構を設けたことを特徴とする非常停止用押ボタンスイッチ。
【請求項２】
請求項１に記載の非常停止用押ボタンスイッチにおいて、前記開閉機構が、前記シャッタ部材を前記ベゼルの施錠穴を遮蔽する位置に掛止めする部材と、前記掛止めされたシャッタ部材を施錠穴を開放する方向に付勢するシャッタ駆動ばねとを備え、前記押ボタンが、前記操作部の押し込みロック位置で前記シャッタ部材の掛止めを外す釈放部材と、前記押ボタンの回動復帰操作により前記シャッタ部材を掛止め位置までに復帰させる復帰部材とを備えたことを特徴とする非常停止用押ボタンスイッチ。
【請求項３】
請求項１に記載の非常停止用押ボタンスイッチにおいて、前記開閉機構が、前記シャッタ部材を前記ベゼルの施錠穴を遮蔽する位置に掛止めする部材と、前記掛止めされたシャッタ部材を施錠穴を開放する方向に付勢するシャッタ駆動ばねとを備え、前記押ボタンに形成された施錠穴の上縁を前記操作部の押し込みロック位置で前記シャッタ部材の掛止めを外す釈放部材とし、下縁を前記シャッタ部材を掛止め位置までに復帰させる復帰部材とすることを特徴とする非常停止用押ボタンスイッチ。
【発明の詳細な説明】
【技術分野】
【０００１】
この発明は、非常時に負荷を停止させる非常停止用押ボタンスイッチに関する。
【背景技術】
【０００２】
非常停止用押ボタンスイッチ（以下、単に「押ボタンスイッチ」という。）は、緊急時や機械の保守点検時などに押ボタンを押動操作して負荷回路を強制開路し、かつ開路状態に自己保持（ロック）する機能を有するものである。押動操作した押ボタンスイッチを待機（操作待ち）状態に復帰（リセット）する方式として、押ボタンを捻回するもの（プッシュロック・ターンリセット方式）（特許文献２参照）や押ボタンを引き戻すもの（プッシュロック・プルリセット方式）がある。いずれにしても、負荷の停止状態で誤ってリセットされると、人命に関わる事故が発生する恐れがありきわめて危険である。そのため、操作の押ボタン部分を覆う施錠可能な保護カバー（誤操作防止カバー）を取り付けたり、押ボタン中心部にキーを挿入しなければリセット操作できない鍵付きスイッチを用いたりしている。誤操作防止カバーについては、例えば特許文献１に記載されている。
【０００３】
ところが、誤操作防止カバーはスイッチ本体と別部品であるため、手配漏れや取付ミスにより設置が確保されない危険がある。また、鍵付きスイッチは挿入するキーが1本のみであるため、複数者が同時にキーを保有して二重、三重の安全を図りたい場合に対応できないという問題がある。
【０００４】
この問題を解決するため、特許文献３に示すように、頭部にキャップ状の押ボタンを有し、軸方向及び回転方向の両方向にばね力を受ける操作部と、この操作部により操作されるスイッチ部とを備え、前記操作部は前記ばね力に抗して軸方向に押動操作されると押し込み状態にロックされ、このロック位置の操作部は前記ばね力に抗して捻回操作されるとロックが解除され、前記ばね力により待機位置に復帰する非常停止用押ボタンスイッチにおいて、前記押ボタンの周壁に沿う周壁を有するベゼルを前記スイッチ部に固定して設け、このベゼルの周壁および押ボタンの周壁に錠前を通す施錠穴を形成し、前記操作部のロック位置、すなわちスイッチ部の開閉操作された位置で、前記押ボタンを回転させて押ボタンの周壁の施錠穴が前記ベゼルの施錠穴に重なるようにし、これらの施錠穴に跨らせて錠前を通すことにより前記操作部をロック位置で施錠するようにした非常停止用押ボタンスイッチが提案されている。
【特許文献１】特開平５−２０９５１号公報
【特許文献２】特開２００３−１７８６４３号公報
【特許文献３】特開２００６−０４９１７６号公報
【発明の開示】
【発明が解決しようとする課題】
【０００５】
この特許文献３に示される従来の非常停止用押ボタンスイッチによれば、操作部およびベゼルに設けられた施錠穴が、操作部の押し込み操作の途中では遮蔽され、操作部がロック位置に到達してスイッチ部が開閉操作されたところで開放されるようになり、押ボタンスイッチの施錠が正しく操作部のロック位置で行われ、その他の位置での誤施錠を防止することができるようになる。
【０００６】
しかしながら、この従来の非常停止用押ボタンスイッチにおいては、構造的な理由から施錠穴を開閉するために押ボタンの回転する範囲（角度）は制限され、あまり大きくすることができない。このため、押ボタンやベゼルに形成する施錠穴の回転方向の幅が制限され、これをあまり大きくすることができないので、施錠穴に掛金を挿通して施錠した状態において南京錠等の錠前の動きが著しく制限されることにより、南京錠を解錠する際に、南京錠の向きを解錠し易い方向に回転することができず、解錠の作業性に問題があった。
【０００７】
そこでこの発明は、このような問題を解決して、押ボタンスイッチに施錠した錠前の解錠のときの作業性を向上できるようにするため、非常停止用押ボタンスイッチに設けられた施錠穴の回転方向の幅を大きくすることができ、かつこの施錠穴の開放を、押ボタンの押し込みロック位置で確実に行うことのできるシャッタ付きの非常停止用押ボタンスイッチを提供することを課題とするものである。
【課題を解決するための手段】
【０００８】
この課題を解決するため、この発明は、頭部にキャップ状の押ボタンを有し、軸方向及び回転方向の両方向にばね力を受けて移動可能な操作部と、この操作部により操作されるスイッチ部とを備え、前記操作部が前記ばね力に抗して軸方向に押し込み操作されると前記スイッチ部の開閉を操作する押し込み位置でロックされ、このロック位置で操作部を前記ばね力に抗して捻回操作するとロックが解除され、前記ばね力により待機位置に復帰する非常停止用押ボタンスイッチにおいて、前記操作部の押ボタンの周壁を囲う周壁を有するベゼルを前記スイッチ部に固定して設け、このベゼルの周壁に錠前を通す施錠穴を形成するとともに、前記押ボタンの周壁に前記操作部のロック位置で前記ベゼルの施錠穴に重なる施錠穴を形成し、前記ベゼルの周壁の内側に軸方向に移動してベゼルの周壁の施錠穴を開閉するシャッタ部材を設けるとともに、前記操作部の押し込み操作および復帰操作に連動してこのシャッタ部材を開閉駆動する開閉機構を設けたことを特徴とする（請求項１）。
【０００９】
この発明において、前記開閉機構は、前記シャッタ部材を前記ベゼルの施錠穴を遮蔽する位置に掛止めする部材と、前記掛止めされたシャッタ部材を施錠穴を開放する方向に付勢するシャッタ駆動ばねとを備え、前記押ボタンが、前記操作部の押し込みロック位置で前記シャッタ部材の掛止めを外す釈放部材と、前記押ボタンの回動復帰操作により前記シャッタ部材を掛止め位置まで復帰させる復帰部材とを備えるようにすることができる（請求項２）。
【００１０】
また、この発明において、前記開閉機構は、前記シャッタ部材を前記ベゼルの施錠穴を遮蔽する位置に掛止めする部材と、前記掛止めされたシャッタ部材を施錠穴を開放する方向に付勢するシャッタ駆動ばねとを備え、前記押ボタンに形成された施錠穴の上縁を前記操作部の押し込みロック位置で前記シャッタ部材の掛止めを外す釈放部材とし、下縁を前記シャッタ部材を掛止め位置までに復帰させる復帰部材とするようにすることができる（請求項３）。
【発明の効果】
【００１１】
この発明によれば、押ボタンスイッチのベゼルの外周に施錠穴を設けるので、その回転方向の幅を大きくすることができ、そして、ベゼルの施錠穴を開閉するシャッタ部材が、操作部材が押し込みロック位置に達した後に、ベゼルの施錠穴を開放するように駆動されるため、押ボタンスイッチに施錠した錠前の解錠のときの作業性を向上できるとともに、この施錠穴の開放を、押ボタンの押し込みロック位置で確実に行うことができる。
【発明を実施するための最良の形態】
【００１２】
以下、この発明の実施の形態を、図に示す実施例について説明する。
【実施例１】
【００１３】
図１〜図１２に、この発明の第１の実施例を示す。
【００１４】
ここで、図１は押ボタンスイッチの待機（操作待ち）状態の斜視図、図２および図３はそれぞれ、図１におけるII−II線およびIII−III線に沿う要部縦断面図、図４および図５は同じくロック（操作）状態直前の斜視図および要部縦断面図、図６は、同じくロック(操作)状態の斜視図、図７および図８は、それぞれ図６におけるVII−VII線およびVIII−VIII線に沿う要部縦断面図、図９は図８におけるIX−IX線に沿う要部縦断面図、図１０は、同じく復帰操作状態の斜視図。図１１は、同じく分解斜視図である。各縦断面図において、点線は施錠穴の位置を示している。
【００１５】
まず、図１において、押ボタンスイッチは頭部にキャップ状の押ボタン１１を有し、軸方向及び回転方向の両方向にばね力を受ける操作部１と、この操作部１により操作されるスイッチ部９とを備えている。なお、押ボタンスイッチは、ばねや接点などの金属部品を除いて樹脂成形品により製作されている。次に、その詳細な構成について説明する。
【００１６】
図１ないし図１１において、操作部１は、押ボタン１１、ベゼル２、支持フレーム３、押棒６等からなっている。押ボタン１１はキャップ状で操作面となる前面壁１１ａと周壁１２とから構成され、この操作部の支持フレーム３の下端にこの操作部によって開閉操作されるスイッチ部９が結合される。
【００１７】
押ボタン１１は、支持フレーム３に外側から嵌め合わせて、軸方向および回転方向の両方向の復元力を発生する押ボタン復帰ばね１４を介して軸方向および回転方向に可動的に支持されている。この押ボタン１１の周壁を取り囲んでベゼル２が配設される。このベゼル２は支持フレーム３により支持固定される。支持フレーム３内には、フレーム３の下端に結合されたスイッチ部９のアクチュエータを駆動するための押棒６が軸方向および回転方向に移動可能に設けられる。この押棒６は、トリガばね１５を介して押ボタン１１に結合される。
【００１８】
ベゼル２、押ボタン１１および支持フレーム３が順に外側から配置され、それぞれの周壁２１、１２および３１の対応する位置に施錠穴２１ａ、１２ａ、３１ａが設けられている。ベゼル２の施錠穴２１ａは、回転方向に間隔を置いて形成された回転方向に長い１対の長方形の穴で構成されるが、押ボタン１１および支持フレーム３の施錠穴１２ａおよび３１ａは、ベゼル２の２つの穴を合わせた長さの１つの穴で構成される。これらの施錠穴は、１組以上設けることができ、この実施例では２組設けられている。
【００１９】
押ボタン１１の周壁１２とフレーム３の周壁３１の間に円筒状のシャッタ５が挿入される。このシャッタ５とフレーム３との間にこのシャッタ５を軸方向の下方へ付勢するためシャッタばね５ｃが装着される。また、フレーム３により固定支持された掛止め部材３５が設けられる。この掛止め部材３５は、押ボタンスイッチが待機状態にあるとき、シャッタ５の係合片５ａを掛止め片３５ａに係合させて、シャッタ５をこの位置に掛止めする。この掛止めされたシャッタ５は、丁度ベゼル２の周壁２１に設けられた施錠穴２１ａを遮蔽する位置に置かれている。このとき、シャッタばね５ｃが圧縮され、シャッタ５を下方へ付勢するばね力を発生している。
【００２０】
さらに、シャッタ５の外周壁には、シャッタ５を押ボタン１１の周壁１２の内側に突出形成したガイド片１２ｂと接触して、押圧によりシャッタ５の掛止め解放用操作片５ｅと、シャッタ５を遮蔽位置に案内する遮蔽用操作片５ｆが設けられている。そして、シャッタ５のシャッタばね５ｃを受ける部分に軸方向のガイド片５ｂが設けられ、これがフレーム３の周壁３１に形成された案内溝３１ｂに嵌め合せられているので（図９、図１１参照）、シャッタ５は、フレーム３により回転方向の回動が阻止され、軸方向にのみ移動可能に支持される。
【００２１】
押棒６は中空円筒体で、下部に一対のロックチップ６２を半径方向に出入自在に保持し、各ロックチップ６２は、ロックばね６３により外向きに付勢される。フレーム３の周壁の内周面に、この押棒６のロックチップ６２と係合するロック片３ｆが操作部１（押ボタン１１）の捻回範囲に渡って一体形成されている。
【００２２】
押棒６は、圧縮コイルばねからなるトリガばね１５を挟んで、押ボタン１１の内筒１３に軸方向に摺動可能に挿入され、その際、外周面に軸方向に形成された突条６ａが内筒１３に形成された軸方向の条溝（図示せず）と嵌合することにより、軸方向に案内されるとともに回転方向に回り止めされている。また、内筒１３に挿入された押棒６は、外周面に突出形成された角柱状の突起６ｂが内筒１３の長方形の角穴１３ａに摺動可能に嵌め込まれ、トリガばね１５のばね力に対抗して抜け止めされている。
【００２３】
フレーム３に一体に結合されているスイッチ部９には図１の下端部に接点ユニットが収容されており、操作部１の押し込み位置にロックされた状態において押棒６が接点ユニットの操作棒を押し下げる。これにより、押ボタンスイッチの常閉接点（ｂ接点）が開離され、負荷回路の強制開路が達成される。
【００２４】
操作部１はスイッチ部９と結合された支持フレーム３に図２の上方から軸方向に挿入され、互いの環状の凹凸部の噛みあわせにより図示の通り摺動可能に組み合わされる。その際、押ボタン１１とフレーム３との間に押しボタン復帰ばね１４が挿入される。復帰ばね１４は圧縮ばねと捩じりばねとを兼ねた円筒状のコイルスプリングで、両端が押ボタン１１とフレーム３にそれぞれ結合され、操作部１の押ボタン１１は支持フレーム３から軸方向及び回転方向の両方向にばね力を受ける。トリガばね１５は円筒状の圧縮コイルばねで、復帰ばね１４に比べて小さなばね定数を有している。
【００２５】
押ボタンスイッチの待機状態を図１ないし図３に示す。この状態では、復帰ばね１４から与えられる軸方向（圧縮方向）及び回転方向（捩じり方向）のばね力により、操作部１の押ボタン１１が反時計方向に常時付勢されるとともに押し上げられている。したがって、押ボタン１１の周壁１２の施錠穴１２ａが、ベゼル２および支持フレーム３の周壁に設けられた施錠穴２１ａおよび３１ａの位置より上方の位置に置かれ、ベゼル２および支持フレーム３の施錠穴２１ａおよび３１ａは押ボタン１１の周壁１２により遮蔽されるため、この状態では施錠穴２１ａへの南京錠等の掛金の挿通が阻止され、施錠することができない。
【００２６】
また、この状態では、図３に示すように、押ボタン１１の周壁１２とフレーム３の周壁３１との間に介装されたシャッタ５は、ベゼル２およびフレーム３の施錠穴２１ａおよび３１ａを遮蔽する位置で、その係合片５ａをフレーム３に設けられた掛止め部材３５の掛止め片３５ａに係合して掛止めされる。
【００２７】
ここで、押ボタン１１を図４および図５に示すように、押棒６のロックチップ６２がフレーム３のロック片３ｆに当るロック位置直前の位置まで押し込み操作すると、押ボタン１１が下降し、周壁１２の施錠穴１２ａの下辺に設けたガイド片１２ｂがシャッタ５の掛止め解放用操作片５ｅに当接する。ガイド片１２ｂが解放用操作片５ｅに当接するだけでは、シャッタ５の掛止めは開放されないので、シャッタ５はこの掛止め位置に保持される。
【００２８】
この位置では、押ボタン１１の周壁１２の施錠穴１２ａがベゼル２およびフレーム３の施錠穴２１ａおよび３１ａと対向するようになるが、シャッタ５が掛止め位置に保持されているため、施錠穴２１ａ、１２ａおよび３１ａはシャッタ５により閉じられたままとなる。このため、押ボタン１１がこの位置に押し込まれる過程で施錠穴１２ａがベゼル２およびフレーム３の施錠穴２１ａおよび３１ａに対向するようになってもシャッタ５によって閉じられ開放されることがないので、操作部がロックされる前に誤って南京錠等の錠前を押ボタンスイッチに施錠することはできない。
【００２９】
押ボタン１１が、ここからにさらに図６に示すようにわずかに押し込まれると、トリガばね１５が圧縮されてばね力が増大し、このばね力が、押棒６のロックチップ６２のロック片３ｆに対する係止力を上回ったところで、図７に示すように、ロックチップ６２がこのトリガばね１５により押されてフレーム３のロック片３ｆを乗り越え、このロック片３ｆの下面で保持されるので、押棒６が移動しこの押し込み位置にロックされる。このとき押ボタン１１の下降によってガイド片１２ｂがシャッタ５の解放用操作片５ｅを押し下げシャッタ５の係合片５ａと掛止め部材３５の掛止め片３５ａとの係合（図３参照）を解き、シャッタ５の掛止めが解放されるため、シャッタ５はシャッタばね５ｃ（図８参照）によって図７に示すように押し下げられるので、ここで初めて、ベゼル２、押ボタン１１およびフレーム３にそれぞれ設けられた３つの施錠穴２１ａ、１２ａおよび３１ａが対応する位置に並んで開放される。この状態では、３つの施錠穴２１ａ、１２ａおよび３１ａ
は、何も遮蔽物がなく開放されているので、これらの施錠穴に図１２に示すように、南京錠８１の掛け金８１ａ、またはシザースロック８２の開閉可能なフック８２ａ，８２ｂを挿通し、押ボタンスイッチの押ボタン１１等の操作部１を施錠し、操作不能にすることができる。シザースロック８２は、その複数の施錠穴８２ｃのそれぞれに南京錠等の錠前を挿通して施錠することにより、多重の施錠を行うことができる。
【００３０】
ベゼル２等に設けた施錠穴は、回転方向に幅広い形状に形成されているため、施錠穴に挿通された錠前８１、８２を外すときは、図１２に円弧の矢印で示すように、錠前８１、８２を施錠穴内でかなり自由に動かし、その姿勢を変えることができるので、解錠作業が容易となる。
【００３１】
この押ボタンスイッチの復帰操作は、次の通りである。
【００３２】
まず、図１２に示すように、押ボタンスイッチの施錠穴に挿通された錠前８１、８２等を開錠して、押ボタンスイッチから外す。これにより、押ボタン１１の回動操作が可能となるので、図１０に示すように、押ボタン１１を図示矢印のように時計方向へ所定角度、例えば４５°捻回する。この捻回により、押ボタン１１の周壁１２に設けたガイド片１２ｂがシャッタ５の周壁に設けた３角形の遮蔽用操作片５ｆ（図１１参照）の右上がりに傾斜した下面に接触して右方向へ移動するため、シャッタ５がシャッタばね５ｃに抗して上方へ押し上げられ、図３に示すように、シャッタ５の係合片５ａが掛止め部材３５の掛止め片３５ａに係合して掛止め部材３５により掛止めされる掛止め位置に復帰される。
【００３３】
また、押ボタン１１と一緒に押棒６が回動するため、図７に示すようにフレーム３のロック片３fに係止されていた押棒６のロックチップ６２が、ロック片３ｆから外れ、ロックが解除される。ロックが外れたところで、押棒６および押ボタン１１が押ボタン復帰ばね１４の軸方向の復元力および回転方向の復元力により、軸方向および回転方向に駆動され、図１ないし図３に示す待機位置へ復帰する。これによりスイッチ部２の接点ユニットの操作棒も元に戻り、常開接点（ｂ接点）が閉じ、負荷回路が再び閉じられる。
【実施例２】
【００３４】
次に、図１３ないし図２１に示すこの発明の第２の実施例について説明する。
【００３５】
図１３は待機状態を示す斜視図、図１４および図１５は、それぞれ図１３におけるXIV−XIV線およびXV−XV線に沿う要部縦断面図、図１６は、押し込みロック直前の状態を示す斜視図、図１７は、ロック直前の状態を示す、図１６におけるXVIII−XVIII線に沿う要部縦断面図、図１８および図１９は、それぞれ図１６におけるXVIII−XVIII線およびXIX−XIX線に沿う要部断面図、図２０は図１９におけるXX−XX線に沿う要部縦断面図、図２１は、分解斜視図である。各縦断面図において、点線は施錠穴の位置を示している。
【００３６】
この実施例２の構成は、大部分が前記実施例１と同じであるので、同一構成要素は同一符号を付して示す。
【００３７】
実施例２の実施例１と構成の異なる点は、押ボタン１１の周壁１２からガイド片１２ｂが除かれている点、およびシャッタ５の周壁の外周に、解放用操作片５ｅおよび遮蔽用操作片５ｆに代わって、外向きに突出した操作片５ｇが設けられている点である（図２１参照）。
【００３８】
シャッタ５の操作片５ｇは、組立て状態において、図１４および図１７に示すように押ボタン１１の周壁１２の施錠穴１２ａと対向する位置に設けられ、先端がこの中に入り込み、待機状態およびロック状態において施錠穴１２ａの上縁壁１２ｕおよび下縁壁１２ｄと当接するようになる。
【００３９】
このような実施例２の押ボタンスイッチは、待機状態においては、図１３ないし図１５に示すように、押ボタン１１が押ボタン復帰ばね１４により押し上げられた状態にある。押ボタン１１の施錠穴１２ａが、ベゼル２および支持フレーム３の施錠穴２１ａおよび３１ａより上方へずれた位置にある。そして、シャッタ５は、図１５に示すように係合片５ａが掛止め部材３５の掛止め片３５ａに係合され、掛止め部材３５により、ベゼル２および支持フレーム３の施錠穴２１ａおよび３１ａと対向する位置に掛止めされる。また、この位置においてシャッタ５の上端の操作片５ｇは、押ボタン１１の周壁１２の施錠穴１２ａの下縁壁１２ｄ上に載置されている（図１４参照）。
【００４０】
このため、待機状態においては、ベゼル２の施錠穴２１ａは、押ボタン１１の周壁によって遮蔽されているので、これに南京錠などの錠前の掛け金の挿通が阻止され施錠することはできない。
【００４１】
次に、押ボタン１１を、図１６に示すように押し込み操作すると、この押ボタン１１の押し込みにしたがって、トリガばね１５を介して押棒６も押し込まれる。この押棒６の先端のロックチップ６２がフレーム３のロック片３ｆと衝突する、ロックされる直前の位置までは、シャッタ５の操作片５ｇが相対的に押ボタン１１の周壁１２の施錠穴１２ａ内を移動する。このシャッタ５の操作片５ｇが、図１７に示すように、施錠穴１２ａの上縁壁１２ｕに当接するまでは押ボタン１１によって押圧されることはない。このため、シャッタ５は掛止め位置に置かれたままとなり、押ボタン１１が下降し、その施錠穴１２ａがベゼル２の施錠穴２１ａと並ぶ位置へ達し、ベゼル２の施錠穴２１ａの押ボタン１１の周壁１２による遮蔽が解放されても、ベゼル２の施錠穴２１ａはシャッタ５によって遮蔽されているため、施錠を行うことはできない。
【００４２】
さらに押ボタン１１を押し込むとトリガばね１５がさらに圧縮され、そのばね力が押棒６のロックチップ６２のロック片３ｆとの係止力より大きくなったところで、ロックチップ６２がロック片３ｆを乗り越え、ロック片３ｆの下方へ移動し、押棒６および押ボタン１１をこの押し込み位置に自己保持（ロック）する。そして、このような押ボタン１１の更なる押し込みにより、シャッタ５の操作片５ｇが押ボタン１１の施錠穴１２ａの上縁壁１２ｕにより押圧されて押し下げられるため、シャッタ５の係合片５ａの、掛止め部材３５の掛止め片３５ａとの係合が外れ、掛止めが解放される。これにより、シャッタ５がシャッタばね５ｃによって押し上げられて、ベゼル２の施錠穴２１ａの遮蔽を解きこれを開放する（図１８および図１９参照）。
【００４３】
このように、押ボタン１１および押棒６が、ロックチップ６２がロック片３ｆを乗り越えた押し込み位置にロック（保持）されると、押し込まれた押棒６によりスイッチ部９の図示しない接点ユニットの操作棒を押し込んで常閉（ｂ）接点を開き、負荷回路を遮断し、負荷を停止させる。そして、このとき、３つのの施錠穴２１ａ、１２ａおよび３１ａの間の遮蔽が全てなくなり、これらの施錠穴の全てが開放されて通じるので、これらの施錠穴に南京錠等の錠前の掛け金を挿通して押ボタンの捻回操作を阻止するよう施錠することができる（図１２参照）。
【００４４】
この状態では、シャッタ５の操作片５ｇは、図１８に示すように、押ボタン１１の周壁１２の施錠穴１２ａの下縁壁１２ｄ上に載置されるようになる。
【００４５】
押し込みロック状態にある押ボタンスイッチを待機状態に復帰させるためには、実施例１と同様に、施錠した錠前を全て外して、押ボタン１１を所定の角度、例えば４５°捻回操作する。これによって、押棒６が押ボタン１１と一緒に回動し、先端のロックチップ６２が、支持フレーム３のロック片３ｆの切れたところで、これから外れてロックが開放されるため、押ボタン１１および押棒６が軸方向および回転方向の両方向の復帰力を与える押ボタン復帰ばね１４により回転方向および軸方向に移動されて元の待機状態の位置に復帰される。
【００４６】
シャッタ５は図２０に示すように、シャッタばね受け部５ｂがフレーム３の縦方向の案内溝３１ｂに嵌合され、フレーム３に対して軸方向にのみ移動可能に結合されているので、押ボタン１１が上昇するとき、施錠穴１２ａの下縁壁１２ｄにより、これに係合されたシャッタ５の操作片５ｇを介してシャッタ５がシャッタばね５ｃを圧縮しながらベゼル２の施錠穴２１ａを遮蔽する位置へ引き上げ、係合片５ａを掛止め部材３５の掛止め片３５ａに係合して掛止めする（図１５参照）。
【００４７】
押棒６の上昇により、スイッチ部９の図示しない接点ユニットの押棒の押し込みが解除されるので常閉（ｂ）接点が再び閉じられ、負荷回路が閉成される。このようにして押ボタンスイッチは、図１３に示すような元の待機状態に復帰される。
【００４８】
この実施例２の押ボタンスイッチにおいては、押ボタンに形成された施錠穴の上縁壁を前記操作部の押し込みロック位置で前記シャッタ部材の掛止めを外す釈放部材とし、下縁壁を前記シャッタ部材を掛止め位置までに復帰させる復帰部材としているので、最外側のベゼル２の施錠穴２１ａの開閉が、押ボタン１１の押し込み位置へのロックおよびロックの解除に同期して行われ、押ボタン１１および押棒６などによって構成された操作部１が押し込みロック位置にロックされ、スイッチ部９が操作されたところで確実に施錠穴を開放することができる。したがって、押ボタンスイッチへの誤った施錠を防止することができる。
【図面の簡単な説明】
【００４９】
【図１】この発明の実施例１を示す非常停止用押ボタンスイッチの待機状態の斜視図である。
【図２】図１のII−II線に沿う要部縦断面図である。
【図３】図１のIII−III線に沿う要部縦断面図である。
【図４】この発明の実施例１を示す非常停止用押ボタンスイッチの押し込みロック状態直前の斜視図である。
【図５】この発明の実施例１を示す非常停止用押ボタンスイッチの押し込みロック状態直前の要部縦断面図である。
【図６】この発明の実施例１を示す非常停止用押ボタンスイッチのロック状態の斜視図である。
【図７】図６におけるVII−VII線に沿う要部縦断面図である。
【図８】図６におけるVIII−VIII線に沿う要部縦断面図である
【図９】図８におけるIX−のIX線に沿う要部縦断面図である。
【図１０】この発明の実施例１を示す非常停止用押ボタンスイッチの復帰操作を説明する斜視図である。
【図１１】この発明の実施例１を示す非常停止用押ボタンスイッチの分解斜視図である。
【図１２】この発明の実施例１を示す非常停止用押ボタンスイッチの施錠した状態を示す斜視図である。
【図１３】この発明の実施例２を示す非常停止用押ボタンスイッチの待機状態の斜視図である。
【図１４】図１３におけるXIV−XIV線に沿う要部縦断面図である。
【図１５】図１３におけるXV−XV線に沿う要部縦断面図である。
【図１６】この発明の実施例２を示す非常停止用押ボタンスイッチの押し込みロック状態の斜視図である。
【図１７】この発明の実施例２を示す非常停止用押ボタンスイッチの押し込みロック状態直前の要部縦断面図である。
【図１８】図１６におけるXVIII−XVIII線に沿う要部縦断面図である。
【図１９】図1６におけるXIX−XIX線に沿う要部縦断面図である。
【図２０】図19におけるXX−XX線に沿う要部縦断面図である
【図２１】この発明の実施例２を示す非常停止用押ボタンスイッチの分解斜視図である。
【符号の説明】
【００５０】
１    操作部
１１    押ボタン
２    ベゼル
３    支持フレーム
５    シャッタ
６    押棒
６２    ロックチップ
９    スイッチ部
２１ａ、１２ａ、３１ａ    施錠穴
【図１】
2008311097.tif 000003
【図２】
2008311097.tif 000004
【図３】
2008311097.tif 000005
【図４】
2008311097.tif 000006
【図５】
2008311097.tif 000007
【図６】
2008311097.tif 000008
【図７】
2008311097.tif 000009
【図８】
2008311097.tif 000010
【図９】
2008311097.tif 000011
【図１０】
2008311097.tif 000012
【図１１】
2008311097.tif 000013
【図１２】
2008311097.tif 000014
【図１３】
2008311097.tif 000015
【図１４】
2008311097.tif 000016
【図１５】
2008311097.tif 000017
【図１６】
2008311097.tif 000018
【図１７】
2008311097.tif 000019
【図１８】
2008311097.tif 000020
【図１９】
2008311097.tif 000021
【図２０】
2008311097.tif 000022
【図２１】
2008311097.tif 000023